(57)【要約】【課題】脹脛部及び足裏部をマッサージできるとともに、脹脛部及び足裏部に対するマッサージ手段の位置を調節できる脚用マッサージ機を提供することにある。【解決手段】斜状の収容溝１５（脹脛支持部）有する第一のケース１０の前方部に、載置溝２５（足裏載置部）を有してケース１０に対して折れ曲がるように第二のケース２０を設け、このケース２０のケース１０に対する位置を調節可能とする。収容溝１５に脹脛用エアーバッグ（マッサージ手段）を配設するとともに、載置溝２５に足裏用エアーバッグ（マッサージ手段）を配設する。収容溝１５を形成するケース１０の中央凸堤１４とその左右両側の凸堤１２，１３に設けた嵌合穴に、足裏載置部に形成された摺動軸２２ｂ〜２４ｂを摺動可能に嵌合する。嵌合穴に対する摺動軸の摺動を伴って第一のケース１０に対し第２のケース２０を移動させて、第２のケース２０の位置を調節するようにしたことを特徴としている。【選択図】      図２
2005058800.tif 000002
【特許請求の範囲】
【請求項１】
斜状の脹脛支持部を有する第一のケース、及びこの第一のケースの前方部に、前記第一のケースに対する位置が調節可能で、かつ、前記第一のケースに対して折れ曲がるように設けられた足裏載置部を有する第二のケースとから構成される本体ケースと、
前記脹脛支持部に配設され駆動手段によって動作させられ脹脛部をマッサージする脹脛用マッサージ手段と、
前記足裏載置部に配設され駆動手段によって動作させられ足裏部をマッサージする足裏用マッサージ手段と、
前記脹脛用マッサージ手段に対する前記足裏用マッサージ手段の位置を調節して位置決めする調節手段と、を備え、
前記第一のケースが、左側凸堤、右側凸堤、中央凸堤、及び前記中央凸堤と左右両側の凸堤との間に夫々前後両端を開放して形成され人体の脹脛部を支持する収容溝からなる前記脹脛支持部を有し、
前記第一のケースの凸堤にその前端面に開口して形成された嵌合穴に、前記第二のケースの後端部に形成された摺動軸を摺動可能に嵌合し、この摺動軸を前記調節手段の調節時に前記嵌合穴に摺動させて前記第一のケースに対し前記第２のケースを移動させるようにしたことを特徴とする脚用マッサージ機。
【請求項２】
請求項１の発明において、脹脛マッサージ手段および足裏用マッサージ手段をそれぞれエアーの給排気によって膨縮する脹脛用エアーバッグおよび足裏用エアーバッグによって構成したことを特徴とする脚用マッサージ機。
【発明の詳細な説明】
【技術分野】
【０００１】
この発明は、脹脛部等をマッサージするマッサージ手段が配設された脚用マッサージ機に関する。
【背景技術】
【０００２】
従来、座部および背もたれ部を備えた椅子本体の前記座部、背もたれ部に設けたエアーバッグにエアー給排気装置によってエアーの給排気をして膨縮させて、身体の背中部、腰部、尻、腿部などをマッサージする椅子式マッサージ機は広く知られている。また、この種の椅子式マッサージ機の中には、脹脛部のマッサージをするエアーバッグを配設した脚用マッサージ機を、前記座部の前方に位置させて椅子本体に取り付けたものも同様に広く知られている。
【０００３】
また、脚部のマッサージをする際に足の裏部をマッサージすることは、より良いマッサージ効果を上げるうえで有効であるものである。しかし、従来の脚用マッサージ機は、脹脛部をマッサージするエアーバッグつまりマッサージ手段は設けられているものの、足の裏部のマッサージができるようにした脚用マッサージ機は現在のところ存在しない。
【発明の開示】
【発明が解決しようとする課題】
【０００４】
上記のように脹脛部などのマッサージをする際に足の裏部をマッサージすることは、より良いマッサージ効果を上げるうえで有効であるにもかかわらず、足の裏部のマッサージができるようにした脚用マッサージ機は現在のところ存在しない。
【課題を解決するための手段】
【０００５】
この発明は上記事情に鑑みてなされたもので、請求項１記載の発明は、斜状の脹脛支持部を有する第一のケース、及びこの第一のケースの前方部に、前記第一のケースに対する位置が調節可能で、かつ、前記第一のケースに対して折れ曲がるように設けられた足裏載置部を有する第二のケースとから構成される本体ケースと、前記脹脛支持部に配設され駆動手段によって動作させられ脹脛部をマッサージする脹脛用マッサージ手段と、前記足裏載置部に配設され駆動手段によって動作させられ足裏部をマッサージする足裏用マッサージ手段と、前記脹脛用マッサージ手段に対する前記足裏用マッサージ手段の位置を調節して位置決めする調節手段と、を備え、前記第一のケースが、左側凸堤、右側凸堤、中央凸堤、及び前記中央凸堤と左右両側の凸堤との間に夫々前後両端を開放して形成され人体の脹脛部を支持する収容溝からなる前記脹脛支持部を有し、前記第一のケースの凸堤にその前端面に開口して形成された嵌合穴に、前記第二のケースの後端部に形成された摺動軸を摺動可能に嵌合し、この摺動軸を前記調節手段の調節時に前記嵌合穴に摺動させて前記第一のケースに対し前記第２のケースを移動させるようにしたことを特徴とする脚用マッサージ機としたものである。
【０００６】
このように請求項１の発明は、脚用マッサージ機に脹脛部をマッサージする脹脛用マッサージ手段と足裏部をマッサージする足裏用マッサージ手段を設けたことから、脹脛部とともにあるいは単独で足裏部をマッサージすることができるため、より良いマッサージ効果を上げることができるという作用を有するものである。
【０００７】
更に、請求項１の発明は、調節手段を設け、この調節手段によって脹脛用マッサージ手段に対する足裏用マッサージ手段の位置を調節できるようにしたから、体形つまり脹脛部の長さの異なる使用者は自己の足裏部に対応するように調節でき、また、同一使用者であってもその押圧力を調節できるという作用を有する。
【０００８】
また、請求項２の発明は、請求項１の発明において、脹脛マッサージ手段および足裏用マッサージ手段をそれぞれエアーの給排気によって膨縮する脹脛用エアーバッグおよび足裏用エアーバッグによって構成した脚用マッサージ機としたものである。
【０００９】
この請求項２の発明は、請求項１の発明の作用に加えて、ソフトな押圧ができるという作用を有する。
【発明の効果】
【００１０】
上記のように請求項１記載の発明は、脹脛部をマッサージする脹脛用マッサージ手段と足裏部をマッサージする足裏用マッサージ手段を設けて、脹脛部とともにあるいは単独で足裏部をマッサージすることができるため、より良いマッサージ効果を上げることができるという効果を有する。
【００１１】
更に、調節手段によって脹脛用マッサージ手段に対する足裏用マッサージ手段の位置を調節できるという効果を有する。それにより、体形つまり脹脛部の長さの異なる使用者は自己の足裏部に対応するように調節することができ、また、同一使用者であってもその押圧力を調節することもできる。
【００１２】
また、請求項２の発明は、請求項１の発明において、脹脛マッサージ手段および足裏用マッサージ手段をそれぞれエアーの給排気によって膨縮する脹脛用エアーバッグおよび足裏用エアーバッグによって構成したから、請求項１の発明の効果に加えて、ソフトな押圧ができるという効果を有する。
【発明を実施するための最良の形態】
【００１３】
この発明の実施の形態（第一の実施の形態）を図１ないし図４に基いて説明する。この実施の形態は、脚用マッサージ機を椅子である椅子式エアーマッサージ機に取り付けたものである。
【００１４】
図１は脚用マッサージ機１を、椅子式エアーマッサージ機５０に取り付けた状態を示す斜視図である。
【００１５】
前記椅子式エアーマッサージ機（以下椅子式マッサージ機という）５０は、図に示すように座部５１、この座部５１の後方に設けられた背もたれ部５２、前記座部５１の両側に設けられた肘掛部５３などからなる椅子本体５５と、前記座部５１に配設された腿用エアーバッグ６０、尻用エアーバッグ６１、および背もたれ部５２に配設された腰用エアーバッグ６２、背中用エアーバッグ６３、首部用エアーバッグ６４と、これら腿用エアーバッグ６０ないし首部用エアーバッグ６４にエアーを給排気させて膨縮動作させるエアー給排気装置７０などから構成されている。
【００１６】
前記椅子本体５５の側壁５６には電源スイッチＳが設けられており、この電源スイッチＳには、電源コード５７が接続されている。また、図１において符号５８は、リモートコントロール装置（以下単にリモコン装置という）で、このリモコン装置５８からは、後述する各種マッサージモードの設定信号、始動信号、停止信号などの各種制御信号を後述する制御手段７５に送る各種制御スイッチが設けられている。
【００１７】
つぎに、前記脚用マッサージ機１について説明する。
【００１８】
この脚用マッサージ機１は、本体ケース２、この本体ケース２に配設されるマッサージ手段としての脹脛用エアーバッグ６７、足裏用エアーバッグ６８などから構成されている。
【００１９】
前記本体ケース２は、図２に示すように第一のケース１０と第二のケース２０とから構成されている。第一のケース１０は、底壁１１、図２において左右両側にそれぞれ前記底壁１１と一体に形成され断面方形状の左側凸堤１２および右側凸堤１３、左側凸堤１２と右側凸堤１３の中間部にこれら左側凸堤１２と右側凸堤と平行に形成され中央凸堤１４とから構成されている。そして、前記中央凸堤１４と左側凸堤１２および右側凸堤１３との間には底壁１１を底面とした脹脛部を支持する脹脛支持部としての収容溝１５、１５が形成されている。
【００２０】
前記左側凸堤１２および右側凸堤１３には、長手方向に沿う断面方形状の嵌合穴１２ａおよび１３ａが形成され、これら嵌合穴１２ａおよび１３ａも前端面に開口している。また、前記中央凸堤１４にも同様に、長手方向に沿う断面方形状の嵌合穴１４ａがそれぞれ形成され、この嵌合穴１４ａは同様に前端面に開口している。
【００２１】
前記中央凸堤１４には、図３に示すように後端面から前記嵌合穴１４ａ内に貫通させて形成した調節手段としての調節ネジ３を挿通する貫通孔１４ｂが形成されており、また、後端面には、前記貫通孔１４ｂの口縁に沿って環状の受部１４ｃが形成されている。この受部１４ｃは前記調節ネジ３を回すときにつまみ３ａの裏面と摺接するようになっている。
【００２２】
第二のケース２０は、図２に示すように、底壁２１、図２において左右両側にそれぞれ前記底壁２１と一体に形成され断面方形状の左側凸堤２２および右側凸堤２３、左側凸堤２２と右側凸堤２３の中間部にこれら左側凸堤２２と右側凸堤２３と平行に形成され中央凸堤２４とから構成されている。そして、前記中央凸堤２４と左右の左側凸堤２２および右側凸堤２３との間には、底壁２１を底面とした足裏部と対向する溝状に形成された足裏載置部としての載置溝２５、２５が形成されている。
【００２３】
前記左側凸堤２２、右側凸堤２３および中央凸堤２４の後端部は、それぞれ前記第一のケース１０に形成した左側凸堤１２、右側凸堤１３および中央凸堤１４と同一勾配となるように折曲されている。そして、これら左側凸堤２２、右側凸堤２３および中央凸堤２４の後端部には、それぞれ前記嵌合穴１２ａ、１３ａおよび１４ａに摺動可能に嵌合する断面方形状の摺動軸２２ｂ、２３ｂおよび２４ｂがそれぞれ形成されている。また、前記中央凸堤２４に形成された摺動軸２４ｂには前記調節ネジ３が螺合する雌ネジ（右ネジ）が形成された所定長のネジ穴２４ｃ（図３参照）が形成されている。
【００２４】
前記摺動軸２２ｂ、２３ｂおよび２４ｂを前記左側凸堤１２、右側凸堤１３および中央凸堤１４に形成した嵌合穴１２ａ、１３ａおよび１４ａの開口から挿入して嵌合させ、また、前記中央凸堤１４に形成した貫通孔１４ｂに挿通した調節ネジ３を前記中央凸堤２４に形成したネジ穴２４ｃに螺合することによって、第二のケース２０は第一のケース１０に取り付けられるものである。
【００２５】
前記調節ネジ３のつまみ３ａを右方向に回す、つまり回転すると、この回転に応じて、前記調節ネジ３が中央凸堤２４のネジ穴２４ｃ内に螺合して入り込むことになる。しかし、調節ネジ３のつまみ３ａが前記受部１４ｃによって入り込み方向への動きが規制されていることから、逆に前記中央凸堤２４の摺動軸２４ａが調節ネジ３に引っ張られて嵌合穴１４ａの奥に向けて摺動しつつ移動する。この中央凸堤２４の奥への移動と同時に、摺動軸２２および２３ｂも嵌合穴１２ａ、１３ａの奥に向けて摺動しつつ移動する。
【００２６】
つまり、調節ネジ３を右方向に回転させると、第二のケース２０は第一のケース１０側に次第に接近し、前記載置溝２５、２５は上方に移動することから、後述する収容溝１５、１５に配設される脹脛用エアーバッグ６７と前記載置溝２５に配設される足裏用エアーバッグ６８との距離を小さくできる。
【００２７】
また、調節ネジ３を逆に左方向に回転させると、この回転に伴って調節ネジ３に対してネジ穴２４ｃが抜け出すようになるので、第二のケース２０の自重によって摺動軸２２ａ、２３ａおよび２４ａは、嵌合穴１２ａ、１３ａおよび１４ａの開口側に向かって移動する。その結果、第二のケース２０は第一のケース１０側から次第に離れ、前記載置溝２５、２５は下方に移動する。このため、収容溝１５、１５に配設される前記脹脛用エアーバッグ６７と載置溝２５に配設される足裏用エアーバッグ６８との距離を大きくすることができる。
【００２８】
すなわち、調節ネジ３を右方向または左方向に回すことによって、収容溝１５に配設された脹脛用エアーバッグ６７と前記載置溝２５に配設される後述する足裏用エアーバッグ６８との距離を調節できる。
【００２９】
この調節により、脹脛部から足裏までの長さの長い人は、調節ネジ３を左方向に回転させることによって、脹脛部および足裏部に対して適切に脹脛用エアーバッグ６７および足裏用エアーバッグ６８を位置決めできる。また、逆に脹脛部から足裏までの長さの短い人は、調節ネジ３を右方向に回転させることによって、同様に脹脛部および足裏部に対して適切に脹脛用エアーバッグ６７および足裏用エアーバッグ６８を位置決めできる。また、同一の人の場合でも調節ネジ３を調節することにより、足裏用エアーバッグ６８の足裏部に対する距離を調節することによって足裏用エアーバッグ６８によって、足裏部に加わる押圧力を調節できる。
【００３０】
前記第一のケース１０の前記底壁１１の後端側の下面両側には軸受１６ａが形成された取付ボス１６（図２では一方のみ図示）が形成され、この軸受１６ａに椅子本体５５に設けた図示しない支持軸（取付手段）に嵌合させることによって、図１に示すように脚用マッサージ１は、椅子本体５５に取り付けられるものである。
【００３１】
なお、前記本体ケース２は、図１に示すように全体を布などのカバー４によって覆われている。
【００３２】
前記両収容溝１５内には、図１に示すようにその対向する側壁、つまり中央凸堤１４と左側凸堤１２および右側凸堤１３の互いに対向した壁に支持させて前記マッサージ手段としての脹脛用エアーバッグ６７が配設されている。これら互いに対向する脹脛用エアーバッグ６７は、それぞれ帯状の連結部材６７ｂによって連結され、この連結部材６７ｂは前記収容溝１５の底部に位置する前記カバー４に縫製その他の方法で取り付けられている。これら脹脛用エアーバッグ６７は、収縮時は偏平状態となっており、エアーの供給により膨張し脹脛部を挟み込むように押圧しマッサージをする。
【００３３】
前記両載置溝２５の底面部には、同様に収縮時は偏平となりエアーの供給により膨張するマッサージ手段としての足裏用エアーバッグ６８が溝に沿って配設されている。
【００３４】
前記椅子本体５５の座部５１の下部に前記エアー給排気手段７０（図４参照、図１では不図示）が配置されている。このエアー給排気装置７０から前記腿用エアーバッグ６０ないし首部用エアーバッグ６４、脹脛用エアーバッグ６７、足裏用エアーバッグ６８にエアーが給排気されるようになっている。
【００３５】
つぎに、脚用マッサージ機１および椅子式マッサージ機５０の制御構成を図４に基づいて説明する。図４において符号７０はエアー給排気装置であり、このエアー給排気装置７０は、エアーポンプなどからなるエアー生成手段７１、このエアー生成手段７１からホース７５ａを介してロータリー弁などからなる分配器７２、前記ホース７５ａから分岐されたホース７６をさらに分岐したホース７７および７８にそれぞれ接続された電磁弁からなる第一の弁手段７３および第二の弁手段７４および前記エアー生成手段７１、分配器７２、第一の弁手段７３および第二の弁手段７４を制御する制御手段７５から構成されている。
【００３６】
前記エアー生成手段７１、分配器７２およびエアー生成手段７１、分配器７２を制御手段７５は、椅子式マッサージ機１の腿用エアーバッグ６０ないし首部用エアーバッグ６４を膨縮させるつまり動作させる駆動手段を構成する。また、前記エアー生成手段７１、第一の弁手段７３、第二の弁手段７４および第一の弁手段７３、第二の弁手段７４を制御手段７５は、脚用マッサージ機１の脹脛用エアーバッグ６７および足裏用エアーバッグ６８を膨縮させるつまり動作させる駆動手段を構成している。
【００３７】
なお、この実施の形態においては、脚用マッサージ機１の駆動手段の一部を構成しているエアー生成手段７１および制御手段７５を、脚用椅子式マッサージ機５０の各エアーバッグ６０ないし６４を動作させる駆動手段と共用させるように構成したが、これらは共用することなく脚用マッサージ機１のみを動作させるように、エアー生成手段および制御手段を別に設けて、前記別に設けたエアー生成手段と第一の弁手段７３および第二の弁手段７４ホースによって接続し、これら別に設けたエアー生成手段、第一の弁手段７３および第二の弁手段７４を前記別に設けた制御手段によって制御するように構成してもよい。
【００３８】
前記分配器７２にはホース６０ｂないし６７ｂの一端が接続されており、これらホース６０ｂないし６４ｂの他端は前記腿用エアーバッグ６０ないし首部用エアーバッグ６４に接続されている。
【００３９】
前記第一の弁手段７３は、吸入口７３ａ、供給口７３ｂおよび排気口７３ｃが設けられている。吸入口７３ａには前記ホース７７が接続されている。供給口７３ｂにはホース６７ｂの一端が接続され、このホース６７ｂの他端は分岐されて前記各脹脛用エアーバッグ６７に接続されている。そして、制御手段７５によって、各脹脛用エアーバッグ６７にエアーを供給するときは、排気口７３ｃが閉じられ、吸入口７３ａと供給口７３ｂが連通し、また、各脹脛用エアーバッグ６７内のエアーを排気するときは、吸入口７３ａが閉じられ、供給口７３ｃが排気口７３ｃに連通するように制御される。
【００４０】
同様に、前記第二の弁手段７４は、吸入口７４ａ、供給口７４ｂおよび排気口７４ｃが設けられている。吸入口７４ａには前記ホース７８が接続されている。供給口７４ｂにはホース６８ｂの一端が接続され、このホース６８ｂの他端は分岐されて前記各足裏用エアーバッグ６８に接続されている。そして、制御手段７５によって、各足裏用エアーバッグ６８にエアーを供給するときは排気口７４ｃが閉じられ、吸入口７４ａと供給口７４ｂが連通し、また、各足裏用エアーバッグ６８内のエアーを排気するときは吸入口７４ａが閉じられ、供給口７４ｃが排気口７４ｃに連通するように制御される。
【００４１】
前記制御手段７５には、上述したように前記リモコン装置５８からの前記各種マッサージモード設定信号、始動信号、停止信号などが入力されるようになっている。
【００４２】
なお、前記マッサージモードとしては、腿用エアーバッグ６０ないし首部用エアーバッグ６４、脹脛用エアーバッグ６７、足裏用エアーバッグ６８を所定の順序で動作さて全身をマッサージする全身マッサージモード、腿用エアーバッグ６０ないし首部用エアーバッグ６４を動作させて上半身をマッサージする上半身マッサージモード、腿用エアーバッグ６０、尻用エアーバッグ６１および脹脛用エアーバッグ６７、足裏用エアーバッグ６８を動作させて脹脛部および足裏部つまり下肢部を含む下半身マッサージモード、脹脛用エアーバッグ６７および足裏用エアーバッグ６８を動作させて下肢部マッサージする下肢マッサージモードなどがある。
【００４３】
下肢マッサージモードの中には、脹脛用エアーバッグ６７および足裏用エアーバッグ６８を同時に膨縮させる同時モード、交互に膨縮させる交互モード、脹脛用エアーバッグ６７および足裏用エアーバッグ６８を個別に動作させる個別モードおよび脹脛用エアーバッグ６７を膨張させた状態とした後、足裏用エアーバッグ６８を膨張させてマッサージをする時間差モードが設けられている。
【００４４】
前記同時モードでは、制御手段７５は、脹脛用エアーバッグ６７および足裏用エアーバッグ６８を同時に膨縮させるように、第一の弁手段７３と第二の弁手段７４を同時に給排気させるようにつまり同期させて給排気するように制御する。また、交互モードでは、制御手段７５は、脹脛用エアーバッグ６７および足裏用エアーバッグ６８を交互に膨縮させるように第一の弁手段７３と第二の弁手段７４を制御する。また、個別モードは、制御手段７５は、脹脛用エアーバッグ６７および足裏用エアーバッグ６８を個別に給排気するように第一の弁手段７３と第二の弁手段７４を制御する。
【００４５】
前記同時モード、交互モードおよび個別モードでは、いずれのモードにおいても、足裏部が足裏用エアーバッグ６８によってマッサージされることから、マッサージ効果を高めることができる。
【００４６】
前記時間差モードでは、制御手段７５は、始めに第一の弁手段７３を給気状態として脹脛用エアーバッグ６７にエアーを供給して脹脛用エアーバッグ６７を膨張させる。脹脛用エアーバッグ６７が所定の膨張量つまり最大膨張量（このとき脹脛部は脹脛用エアーバッグ６７によって押圧されて挟持されることになる）となると、ついで第一の弁手段７３を給気も排気もしない状態つまり供給口７４ｂを供給口７３ａおよび排気口７４ｃと非連通状態とするように制御して脹脛用エアーバッグ６７を膨張状態に維持する。この状態で足裏用エアーバッグ６８にエアーの供給を開始させるよう第二の弁手段７４を給気状態に制御する。この結果、足裏用エアーバッグ６８は徐々に膨張する。
【００４７】
足裏用エアーバッグ６８が所定の膨張量つまり最大膨張量になると、制御手段７５は、脹脛用エアーバッグ６７および足裏用エアーバッグ６８を同時に収縮させるように、第一の弁手段７３と第二の弁手段７４を排気状態に制御する。この結果、脛用エアーバッグ６７および足裏用エアーバッグ６８は同時に収縮する。そして、上記制御が繰り返される。
【００４８】
なお、脹脛用エアーバッグ６７が所定の膨張量つまり最大膨張量および足裏用エアーバッグ６８が所定の膨張量つまり最大膨張量となったかどうかは、圧力センサーによって脹脛用エアーバッグ６７、足裏用エアーバッグ６８の圧力を検知する方法、あるいはエアーを供給する時間を計時する方法などによってなされるものである。
【００４９】
上述のように時間差モードでは、脹脛用エアーバッグ６７を膨張させて脹脛部を挟持した状態で足裏用エアーバッグ６７を膨張させるものであることから、足裏部はエアーの供給が開始されて徐々に膨張する足裏用エアーバッグ６８によって押圧力は次第に大きくなる。また、次第に膨張する足裏用エアーバッグ６８によって足裏は押し上げられようとするが、上記のように脹脛部は脹脛用エアーバッグ６７によって挟持されていて上方への移動が規制され固定状態とされている。このため、足裏部は膨張する裏用エアーバッグ６８によって強く押圧されることになり、マッサージ効果が高められるものである。つまり、足裏用エアーバッグ６８の膨張によって生じる押圧力によって、効果的に足裏部を押圧してマッサージ効果を上げることができる。
【００５０】
つぎに、上記脚用マッサージ機１を椅子式マッサージ機５０とともに使用する場合の動作について説明する。なお、椅子式マッサージ機５０のマッサージモードは、従来のものと同様であり、また、脚用マッサージ機１の各モードの中の同時モード、交互モードおよび個別モードは、それぞれ上記のように脹脛用エアーバッグ６７と足裏用エアーバッグ６８を同時にあるいは交互にまたは別個に膨縮させてマッサージをするものであることからその説明を省略し、ここでは上記時間差モードを設定した場合の動作についてのみ説明する。
【００５１】
使用者が時間差モードによってマッサージをしようとするときは、まず、使用者は、椅子本体５５の座部５１に腰掛け、そして脹脛部を収容溝１５内つまり対向する脹脛用エアーバッグ６７内に位置させ、また、足裏部を足裏用エアーバッグ６８の上に載せる。そして、脹脛部を脹脛用エアーバッグ６７と対応させた状態で足裏部が足裏用エアーバッグ６８に適切な状態に対応つまりフィットしていないときは、前記調節ネジ３をそのつまみ３ａによって左右いずれかの方向に回して第二のケース２０の位置を調節する。
【００５２】
ついで、リモコン装置５８から時間差モードを設定し、ついで始動信号を送るよう制御スイッチを操作する。この始動信号を受けると制御手段７５は前記時間差モードを実行する。
【００５３】
つまり、制御手段７５は、エアー生成手段７１を動作させるとともに、第二の弁手段７４の吸入口７ａを閉じ、第一の弁手段７３を制御して脹脛用エアーバッグ６７にエアーを供給して膨張させる。このことによって脹脛部は押圧されてマッサージされる。そして、脹脛用エアーバッグ６７が所定の膨張量（この実施の形態では最大膨張量（略最大膨張量としてもよい））となると、制御手段７５は前記第一の弁手段７３を給気も排気もしない状態に維持するように制御するとともに、第二の弁手段７４を給気状態（排気口７４ｃを閉じ吸入口７４ａ供給口７４ｂを連通させる）に制御する。これにより、足裏用エアーバッグ６８にエアーの供給が開始され、足裏用エアーバッグ６８は次第に膨張し、この膨張により足裏部が押圧されてマッサージされる。
【００５４】
そして、この足裏用エアーバッグ６８が膨張するとき、上述したように脹脛部は脹脛用エアーバッグ６７によって挟持されているため、足裏部は上方へ移動を規制された状態で押圧されることから押圧力が高められ効果的なマッサージがなされる。
【００５５】
足裏用エアーバッグ６８が最大膨張量に達すると、制御手段７５は第一の弁手段７３と第二の弁手段７４とを排気状態となるよう制御し、この結果脹脛用エアーバッグ６７および足裏用エアーバッグ６８内のエアーは排気され収縮する。脹脛用エアーバッグ６７および足裏用エアーバッグ６８内のエアーが排気されると、制御手段７５は再び第一の弁手段７３および第二の弁手段７４を制御して、脹脛用エアーバッグ６７を膨張させるとともに最大膨張量となったとき、この状態を維持した状態で足裏用エアーバッグ６８の膨張を開始し、そして、足裏用エアーバッグ６８が最大膨張量に達したとき、脹脛用エアーバッグ６７および足裏用エアーバッグ６８を収縮させる。この動作が繰り返され脹脛部および足裏部のマッサージがなされる。
【００５６】
この時間差モードでは、上述のように脹脛部を脹脛エアーバッグ６７によって挟持して上方への移動を規制した状態で、足裏用エアーバッグ６８によって足裏部に押圧力が加えられることから、足裏部の押圧力が高められ足裏部のマッサージ効果が高められる。これとともに、脹脛部には単に脹脛用エアーバッグ６７による横方向からの押圧力だけではなく、脹脛部が挟持された状態で足裏部が上方へ押し上げられることから、脹脛部の筋肉には横方向からの押圧力に加えて同時に脛に沿う方向への押圧力も加えられるため、脹脛部の筋肉のマッサージ効果も高められる。
【００５７】
また、調節ネジ３によって第一のケース１０に対する第二のケース２０の位置を調節して、使用者は自己の体形つまり脛の長さに応じて足裏用エアーバッグ６８の位置を調節して適切な位置に位置決めできることから、良好なマッサージができる。
【００５８】
また、使用者は椅子に腰掛けてリラックスした状態で脚部のマッサージができることからこの点からもマッサージ効果が高められる。
【００５９】
なお、上記実施の形態では脚用マッサージ機１を、椅子式マッサージ機５０に取り付ける構成としたが、これはエアーバッグつまりマッサージ手段が設けられていない他の形式の椅子に取り付けるように構成してもよい。このように他の形式の椅子に取り付けて使用する場合つまり他の実施の形態を図５に基づいて説明する。
【００６０】
この他の実施の形態における脚用マッサージ機１Ａと上記の実施の形態における脚用マッサージ機１と相違する構成は、第一のケース１０後端部両側に設けた軸受１６ａが形成された取付ボス１６に代えて、後述する連結腕（取付手段）１２１を嵌合させる連結ボス（図示しない）を設けた構成と、脹脛用エアーバッグ６７と足裏用エアーバッグ６８にエアーの給排気をするエアー給排気装置を脚用マッサージ機１００つまり第二のケース２０内に設けるようにした構成とである。その他の構成は同一であることから、同一構成部分については同一符号を付しその説明は省略する。
【００６１】
図５に示すように示すように椅子１００は、支持台１１０に支持された座部１０１、この座部１０１の後部に設けられた背もたれ部１０２、前記座部１０１の左右に設けられた肘掛部１０３などから構成されている。また、前記支持台１１０は、支持柱１１１の基部から放射状に形成されるとともに先端部にキャスター１１３が設けられた支持脚１１２および前記支持柱１１１に形成した嵌合穴１１４に軸方向に摺動可能に嵌合させて設けられた摺動軸１１５とから構成されている。なお、摺動軸１１５は位置決めネジ１１６によって任意位置に位置決めされて、座部１０１の高さを調節できるようになっている。
【００６２】
前記座部１０１の下側の両側にはそれぞれ嵌合孔１２０ｂが設けられた固定具１２０（図５では一方のみ図示）が取り付けられており、また、それぞれの固定具１２０の嵌合孔１２０ｂには、連結腕１２１（図５では一方のみ図示）の一端側が取り付けられている。
【００６３】
脚用マッサージ機１Ａの第一のケース１０の後端部両側には、前記連結腕１２１を嵌合させる嵌合孔を有する連結ボス（不図示）が取り付けられている。この連結ボスに前記連結腕の先端部を嵌合させることによって、図に示す状態のように椅子１００の座部１０１の前方に位置して取り付けられるものである。
【００６４】
前記第二のケース２０の左側凸堤２２、右側凸堤２３および中央凸堤２４の内部には、それぞれ収納室（不図示）が形成されている。右側凸堤２３の収納室にはエアー給排気装置７０ａ（図６参照）を構成する制御手段７１、エアー生成手段７５が収納されている。中央凸堤２４にはエアー給排気装置７０ａを構成する第一の弁手段７３と第二の弁手段７４が収納されている。また、左側凸堤２２の収納部には前記エアー生成手段７５、第一の弁手段７３および第二の弁手段７４を駆動するバッテリー、駆動回路などからなる駆動回路装置７９が収納されている。
【００６５】
なお、前記エアー給排気装置７０ａが上記実施の形態におけるエアー給排気装置７０と異なる点は、椅子１００にエアーバッグが設けられていないことから、図６に示すようにエアー生成手段７１を直接第一の弁手段７３と第二の弁手段７４にホース７６およびこのホース７６から分岐したホース７７およびホース７８によって接続するとともに、エアー生成手段７１、第一の弁手段７３および第二の弁手段７４を制御手段７５によって制御する構成とした点であり、その他の構成は同一であるのでその説明は省略する。
【００６６】
前記制御手段７１にはリモコン装置５８から各種マッサージモードの設定信号、始動信号、停止信号などが入力できるようになっている。なお、前記マッサージモードは、脚用マッサージ機１Ａのマッサージモードつまり同時モード、交互モード、個別モードおよび時間差モードである。
【００６７】
脚用マッサージ機１Ａを椅子１００に取り付けるときは、前記連結腕１２１の一端側を固定具１２０の取り付け、ついで、他端側に前記図示しない連結ボスを嵌合させることによって簡単に取り付けることができる。また、逆に連結ボスを連結腕１２１の他端側から取り外すことによって簡単に取り外すことができる。
【００６８】
マッサージをするときは、椅子本体１００の座部１０１に腰掛け、そして脹脛部を収容溝１５内つまり対向する脹脛用エアーバッグ６７内に位置させ、また、足裏部を足裏用エアーバッグ６８の上に載せる。そして、脹脛部を脹脛用エアーバッグ６７と対応させた状態で足裏部が足裏用エアーバッグ６８に適切な状態に対応つまりフィットしていないときは、前記調節ネジ３のつまみ３ａ（図５では不図示）を左右いずれかの方向に回して適切な位置になるように調節する。
【００６９】
リモコン装置５８から所望のマッサージモードを設定し、ついで始動信号を送る制御スイッチを操作する。この始動信号を受けると制御手段７５によって前記設定されたマッサージモードが実行されてマッサージがなされる。そして、いずれのマッサージモードにおいても足裏部のマッサージがなされることからマッサージ効果が高められる。また、この場合も、使用者は椅子１００の座部１０１に腰掛けリラックスした状態でマッサージを受けることができることから、良好なマッサージ効果が得られる。
【００７０】
上述のように上記脚用マッサージ機１Ａは、脹脛部をマッサージする脹脛用エアーバッグ６７と足裏部をマッサージする足裏用エアーバッグ６８を設けたことから、脹脛部とともにあるいは単独で足裏部をマッサージすることができるため、より良いマッサージ効果を挙げることができる。
【００７１】
また、調節ネジ３によって足裏用エアーバッグ６８の位置を任意位置に調節することができる。このことから、体形つまり脹脛部の長さの異なる使用者は自己の足裏部に適切に対応するように調節でき、また、同一使用者であっても、脹脛用エアーバッグ６７に対して足裏用エアーバッグ６８を上方または下方に位置させることができるため、その押圧力を調節できる。
【００７２】
脹脛用エアーバッグ６７および足裏用エアーバッグ６８はそれぞれエアーの給排気によって膨縮するエアーバッグによって構成したことから、ソフト的な押圧ができる。
【００７３】
脹脛部マッサージする脹脛用エアーバッグ６７を膨張させた状態で足裏をマッサージする足裏用エアーバッグ６８を膨張させることにより、足裏用エアーバッグ６８により足裏部を押圧する際に、脹脛部は脹脛用エアーバッグ６７によって移動を規制されて固定状態とされている。このため、足裏部を押圧する押圧力を効果的に作用させることができ、マッサージ効果が高められる。
【００７４】
脚用マッサージ機１Ａを、座部の前方に位置させて椅子本体に取り付けた椅子としたことから、椅子に腰掛けてリラックスした状態で脚部のマッサージができるためマッサージ効果を上げることができる。
【００７５】
なお、上記各実施の形態においては、脹脛用マッサージ手段および足裏用マッサージ手段をそれぞれエアーバッグによって構成したが、これは例えば駆動手段を電磁駆動手段とし、この電磁駆動手段によって振動動作する押圧子によって構成してもよい。
【００７６】
上記各実施の形態においては調節手段を調節ネジ３によって構成したが、これは、他の仕方によってなしてもよい。
【００７７】
上記各実施の形態においては、脹脛用エアーバッグ６７は脛方向にある長さを持っていることから、脹脛部と脹脛用エアーバッグ６７の位置関係が多少ずれるものの、脚用マッサージ機１全体を椅子つまり座部に対して前後方向に移動させて足裏用エアーバッグ６８の位置を調節するように構成することもでき、この場合は脚用マッサージ機の構成を簡単にできる。
【図面の簡単な説明】
【００７８】
【図１】本発明の脚用マッサージ機を椅子式エアーマッサージ機に取り付けた場合の実施の形態（第一の実施の形態）の斜視図。
【図２】上記脚用マッサージ機のカバーを外した状態を示す斜視図。
【図３】上記脚用マッサージ機の調節手段の構成を示す断面図。
【図４】上記脚用マッサージ機と椅子式エアーマッサージ機の制御ブロック図。
【図５】本発明の脚用マッサージ機を他の形式の椅子に取り付けた場合の実施の形態（第二の実施の形態）の斜視図。
【図６】上記第二の実施の形態の脚用マッサージ機の制御ブロック図。
【符号の説明】
【００７９】
１            脚用マッサージ機
２            脚用マッサージ機の本体ケース
３            調節ネジ（調節手段）
１０          本体ケースの第一のケース
１２          第一のケースの左側凸堤
１３          第一のケースの右側凸堤
１４          第一のケースの中央凸堤
１２ａ〜１４ａ    凸堤の嵌合穴
１５          収容溝（脹脛支持部）
２０          本体ケースの第二のケース
２２          第二のケースの左側凸堤
２３          第二のケースの右側凸堤
２４          第二のケースの中央凸堤
２２ｂ〜２４ｂ    凸堤の摺動軸
２５          載置溝（足裏載置部）
６７          脹脛用エアーバッグ（マッサージ手段）
６８          足裏用エアーバッグ（マッサージ手段）
７０          エアー給排気装置（駆動手段）
【図１】
2005058800.tif 000003
【図２】
2005058800.tif 000004
【図３】
2005058800.tif 000005
【図４】
2005058800.tif 000006
【図５】
2005058800.tif 000007
【図６】
2005058800.tif 000008